(57)【要約】【課題】撮影時に設定するパラメータであるシャッタースピードを、再生時に変更することで、視聴者に最適な再生画像を提供することができる画像再生装置を提供する。【解決手段】画像再生装置は、高フレームレートで撮影され、撮影パラメータであるシャッタースピード値がメタデータとして共に記録されている動画像を再生する。そして、再生する動画像の再生シャッタースピードを設定する設定手段（操作手段１０７、シャッタースピード決定部２０１）を備える。また、設定手段により設定された再生シャッタースピードに応じて使用するフレームを選択する選択手段（表示フレーム作成制御部２０３）を備える。さらに、選択手段により選択されたフレームから表示するフレームを作成する作成手段（フレーム作成部１０８）を備える。【選択図】図２
2009246775.tif 000002
【特許請求の範囲】
【請求項１】
高フレームレートで撮影され、撮影パラメータであるシャッタースピード値がメタデータとして共に記録されている動画像を再生する画像再生装置において、
再生する前記動画像の再生シャッタースピードを設定する設定手段と、
前記設定手段により設定された前記再生シャッタースピードに応じて使用するフレームを選択する選択手段と、
前記選択手段により選択されたフレームから表示するフレームを作成する作成手段と、
を備えることを特徴とする画像再生装置。
【請求項２】
前記設定手段は、視聴者が操作する操作手段であることを特徴とする請求項１記載の画像再生装置。
【請求項３】
前記設定手段は、前記動画像を表示する表示装置の性能に適する前記再生シャッタースピードを設定することを特徴とする請求項１記載の画像再生装置。
【請求項４】
前記設定手段は、再生する前記動画像の種類に適する前記再生シャッタースピードを設定することを特徴とする請求項１記載の画像再生装置。
【発明の詳細な説明】
【技術分野】
【０００１】
本発明は、高フレームレートで撮影され、撮影パラメータであるシャッタースピード値がメタデータとして共に記録されている動画像を再生する画像再生装置に関する。
【背景技術】
【０００２】
デジタルカメラやデジタルビデオカメラにおける画像の撮影に際し、各種パラメータを指定して、そのパラメータに従った撮影をすることが一般的である。ここでいう画像とは、動画像及び静止画像のどちらも含んでいる。また、各種パラメータの例としては、シャッタースピード、ホワイトバランス、露出等が挙げられる。
【０００３】
これらのパラメータは、撮影時に設定を行い、その値に従った状態で画像が撮影されることになる。従って、基本的にシャッタースピード等のパラメータは各画像に対して一意に決定され、再生時には撮影時のシャッタースピード設定に基づいて記録された画像がそのまま再生されることになる。
【０００４】
上記各種パラメータは、画像の特徴を決定付けるものであるため、様々なパラメータで撮影することで、画像の特徴をその画像に合ったものとして撮影することが可能である。
【０００５】
例えば、特許文献１に記載の技術は、撮影時に記録する画像に応じてフレームレートを変更して記録する。ここでフレームレートとは実際の画像の時間分解能を変更するパラメータであり、シャッタースピードと同義と捉えて問題ない。
【０００６】
フレームレートを変更することで、スポーツ等の動きの速いコンテンツでは、時間分解能が高い画像を撮影することが可能となり、その他の一般的なコンテンツでは、画像間が滑らかに変化する画像を撮影することが可能となる。
【０００７】
また、近年、画像を撮影するセンサの高速度化により、超高速度での画像の撮影が可能となりつつある。従来までは、６０ｆｐｓ（frame per second）程度での動画の撮影が限界であったが、６００ｆｐｓまたはそれ以上のフレームレートでの撮影の実現性が高まりつつある。
【０００８】
このセンサを使用することで、シャッタースピードをメタデータとして画像内に記録し、再生時においては、メタデータとして記録されたシャッタースピードを元に、複数枚のフレームを合成して表示するフレームを作成する技術も可能となる。
【特許文献１】特開２００５−８６４９９号公報
【発明の開示】
【発明が解決しようとする課題】
【０００９】
上記シャッタースピード等の各種パラメータは、撮影時に設定されるものであるため、再生時において、視聴者は記録時のパラメータに依存した再生のみ行うことが可能であった。
【００１０】
例えば、シャッタースピードを遅く設定して撮影した動画像は、再生時にはそのままのシャッタースピード値で再生されるため、シャッタースピード値の遅い動画像として再生されることとなる。つまり、撮影時に意図された撮影パラメータが反映された再生画像のみ視聴者は供与されることが可能であった。
【００１１】
しかし、視聴者によっては撮影者の趣向とは異なるパラメータで再生を実施することを望む場合も考えられる。例えば、再生画像を視聴中に、より時間分解能の高い画像を視聴したいと望む場合があることが容易に考えられる。その際に、従来の技術では、再生側で撮影時のパラメータを変更して再生するということができないため、視聴者の望む再生形態を提供することができないという課題があった。
【００１２】
同様に、再生に使用する表示デバイスによっては、撮影時のシャッタースピードとは異なるシャッタースピードで再生することで、より適切な再生画像を得ることが可能となる場合もある。
【００１３】
例えば、シャッタースピード１／６０ｓｅｃで撮影した画像を、１２０ｆｐｓで再生可能な表示デバイスで再生する場合、時間分解能の高い１／１２０ｓｅｃのシャッタースピードで再生することで、より質の高い再生画像を得られるはずである。
【００１４】
しかし、従来の技術では、再生時にシャッタースピードを変更することができないため、シャッタースピード１／６０ｓｅｃの画像を再生することしかできないという課題があった。
【００１５】
本発明の目的は、撮影時に設定するパラメータであるシャッタースピードを、再生時に変更することで、視聴者に最適な再生画像を提供することができる画像再生装置を提供することにある。
【課題を解決するための手段】
【００１６】
上記目的を達成するために、請求項１記載の画像再生装置は、高フレームレートで撮影され、撮影パラメータであるシャッタースピード値がメタデータとして共に記録されている動画像を再生する画像再生装置において、再生する前記動画像の再生シャッタースピードを設定する設定手段と、前記設定手段により設定された前記再生シャッタースピードに応じて使用するフレームを選択する選択手段と、前記選択手段により選択されたフレームから表示するフレームを作成する作成手段とを備えることを特徴とする。
【発明の効果】
【００１７】
本発明の画像再生装置によれば、撮影時に設定するパラメータであるシャッタースピードを、再生時に変更することで、視聴者に最適な再生画像を提供することができる。
【発明を実施するための最良の形態】
【００１８】
以下、本発明の実施の形態を図面を参照して詳細に説明する。
【００１９】
図１は、本発明の実施の形態に係る画像再生装置のブロック図である。
【００２０】
高フレームレートで撮影され、撮影パラメータであるシャッタースピード値がメタデータとして共に記録されている動画像を再生する画像再生装置は、再生装置本体１００、操作手段１０７及び表示装置１０９を備えている。
【００２１】
再生装置本体１００は、記録された画像を復号し、復号した画像から表示に使用するフレームを作成し、表示装置１０９へ画像を送信する機能を有している。以下、再生装置本体１００を構成する各部について説明する。
【００２２】
システム制御部１０１は、再生装置本体１００において、データの送受信制御及び表示する画像の作成制御を行う処理部である。システム制御部１０１は、一般的な再生装置におけるＣＰＵに相当する箇所であり、制御プログラムによって様々な制御を実現することが可能となる。
【００２３】
アドレス制御部１０２は、システム制御部１０１によって決定された値を元に、記録媒体１０３からデータを取得するために必要なアドレス値を算出する箇所である。アドレス制御部１０２は、システム制御部１０１で、表示フレームの作成に使用するデータを特定する処理が行われるため、その値と実際の記録媒体１０３上のデータとを紐付ける役割を担っている処理部である。
【００２４】
記録媒体１０３は、再生する画像データを格納する。記録媒体１０３の例としては、メモリカードやＤＶＤ、Ｂｌｕ−ｒａｙ（登録商標）ディスク等の着脱可能な媒体、またはＨＤＤ、フラツシュメモリ等の内蔵型媒体等が考えられる。
【００２５】
データ読み出し部１０４は、記録媒体１０３から実際の画像データを読み出す処理を行う処理部である。データ読み出し部１０４は、アドレス制御部１０２で算出された記録媒体１０３上のアドレス値を使用して、記録媒体１０３から再生に使用するデータを読み出す処理を行う。
【００２６】
データ分離部１０５は、記録媒体１０３からデータ読み出し部１０４により読み出されたデータを解析し、実際の画像データと画像データに付随する付加データを分離する処理を行う処理部である。
【００２７】
画像データは、デコーダ１０６に送信され、画像の生成処理が行われる。付加データは、シャッタースピードや記録画像のフレームレート等のメタデータであり、システム制御部１０１において、表示する画像の作成制御に使用される。
【００２８】
デコーダ１０６は、画像データの復号を行う処理部である。画像データはＲＡＷ画像のような非圧縮データの他、ＭＰＥＧ（Moving Picture Expert Group）画像等の圧縮されているデータが想定される。従ってこれらのデータに対し復号処理を行い、１枚の独立したフレームデータに変更する処理を行う。
【００２９】
再生装置本体とは独立した操作手段１０７は、視聴者の各種指示を再生装置本体１００に伝えるためのユーザインタフェースである。各種指示の例としては、画像の再生や再生時のシャッタースピード（再生シャッタースピード）指定（設定）等が挙げられる。一般的な操作手段１０７としては赤外線リモートコントローラが想定される。
【００３０】
フレーム作成部１０８は、デコーダ１０６によって生成された複数枚のフレームから、表示に使用するフレームを、合成処理等を施して生成する処理を行う。フレーム作成部１０８によって作成されたフレームが表示装置１０９に送信され、実際に視聴者に提示されることになる。
【００３１】
以下、フレーム作成部１０８内の詳細な構成部について説明を加える。
【００３２】
フレームディレイ１０８１は、フレームを複数保持しておくためのフレームバッファである。図１ではフレームディレイ１０８１が４枚設けられているが、この数に限るものではない。フレームディレイ１０８１の下限は０であり、フレーム作成に使用するフレームをＮ枚とすると、上限はＮ−１となる。
【００３３】
係数１０８２は、フレーム作成において各フレームに乗算される重みを示すものである。係数１０８２の数についても、フレーム作成に使用するフレーム数に依存した値となるため、図１において示した数に制限されることはない。
【００３４】
加算部１０８３は、複数のフレームにそれぞれ係数１０８２によって重み付けされた後、加算により１枚のフレームを作成する処理を行う。加算部１０８３により、表示に使用するフレームが生成されることとなる。
【００３５】
色デコード１０８４は、加算部１０８３により作成された表示フレームに各種色処理を加え、実際の表示フレームを作成する処理を行う。各種色処理とは、ガンマ補正、ホワイトバランス補正等である。これらの処理は画像がＲＡＷ画像である場合には必須の処理となる。
【００３６】
再生装置本体１００とは独立した表示装置１０９は、フレーム作成部１０８により作成された表示フレームを視聴者に提示する処理を行う。表示装置１０９の例としては、液晶ディスプレイ、ＦＥＤ（Field Emission Display）等が挙げられる。尚、図１では再生装置本体１００と別構成として図示されているが、再生装置本体１００と表示装置１０９が一体となっている場合もある。
【００３７】
図２は、図１におけるシステム制御部を中心としたブロック図である。
【００３８】
尚、図２に示すアドレス制御部１０２、デコーダ１０６、操作手段１０７、フレーム作成部１０８、表示装置１０９については、図１に記載のものと同一であるため、説明は省略する。
【００３９】
システム制御部１０１において、シャッタースピード決定部２０１は、視聴者からの指示、表示装置１０９の情報及び再生する画像の情報を元に、再生時のシャッタースピード値を決定する処理を行う。シャッタースピード決定部２０１で決定された値が、再生時のシャッタースピード、即ち、再生シャッタースピードとなり、視聴者に提示されることになる。
【００４０】
インタフェース部（ＩＦ部）２０２は、操作手段１０７で行われた視聴者からの指示を受信する処理を行う。具体的には、視聴者からのシャッタースピード設定を受信し、シャッタースピード決定部２０１へ提供する機能を持つ。
【００４１】
表示フレーム作成制御部２０３は、シャッタースピード決定部２０１で決定されたシャッタースピードを元に、視聴者に表示するフレームの作成方法を制御する。表示フレーム作成制御部２０３で、表示フレームを作成するために使用するフレームが特定され、その情報がアドレス制御部１０２へ送信される。また、表示フレーム作成制御部２０３は、作成する際のフレーム毎の係数を算出し、その係数をフレーム作成部１０８へ通知する。
【００４２】
表示装置情報取得部２０４は、表示装置１０９の情報を取得し、シャッタースピード決定部２０１へ取得した情報を通知する処理を行う。ここで取得する情報は、具体的には表示装置１０９が表示可能なフレームレートである。
【００４３】
上述したように、操作手段１０７及びシャッタースピード決定部２０１は、再生する動画像の再生シャッタースピードを設定する設定手段として機能する。
【００４４】
また、表示フレーム作成制御部２０３は、設定手段により設定された再生シャッタースピードに応じて使用するフレームを選択する選択手段として機能する。
【００４５】
また、フレーム作成部１０８は、選択手段により選択されたフレームから表示するフレームを作成する作成手段として機能する。
【００４６】
ここで、シャッタースピード決定部２０１は、動画像を表示する表示装置１０９の性能に適する再生シャッタースピードを設定（決定）する。また、シャッタースピード決定部２０１は、再生する動画像の種類に適する再生シャッタースピード設定（決定）する。
【００４７】
以上、図１及び図２を用いて、本発明の基本的な構成を説明した。次に、フローチャートを用いて本発明の実施の形態の流れを説明する。
【００４８】
（第１の実施の形態）
第１の実施の形態は、視聴者が任意のシャッタースピードを指定し、その値に基づいて再生時のシャッタースピードを変更する実施の形態である。これにより、視聴者は、撮影者の意図したシャッタースピードにとらわれず、視聴者自身の望むシャッタースピードで画像を再生することが可能となる。
【００４９】
図３は、図１の画像再生装置によって実行される画像再生処理の手順を示すフローチャートである（１）。
【００５０】
本処理は、図１におけるシステム制御部１０１の制御の下で実行される。
【００５１】
まず、ステップＳ３０１において、再生する画像の情報を図１のデコーダ１０６から取得する。ここで取得する情報は、撮影時のシャッタースピード、撮影フレームレート、及び撮影時において想定された表示フレームレートである。
【００５２】
撮影時のシャッタースピードは、画像の撮影時に撮影者が設定したシャッタースピードである。撮影フレームレートは、撮影装置で撮影した画像の時間分解能を示すものであり、３００ｆｐｓ等、その撮影装置が撮影可能な最大のフレームレートとなる。
【００５３】
撮影時において想定された表示フレームレートは、主に撮影時のシャッタースピードに係わるパラメータであり、図１の表示装置１０９が表示可能なフレームレートを想定した値となる。これらのパラメータ間の関係を図４に示す。
【００５４】
図４では、撮影時のシャッタースピードが１／１００ｓｅｃ、撮影フレームレートが１２００ｆｐｓ、再生時の想定表示フレームレートが６０ｆｐｓを示している。通常のシャッタースピードを変更しない再生では、このパラメータに従い、撮影フレームを１２枚使用してｉ／１００ｓｅｃの表示フレームを作成し、それをｉ／６０ｓｅｃに１枚ずつ表示することで再生を行っている。
【００５５】
次に、ステップＳ３０２において、視聴者が再生時のシャッタースピードを設定する。シャッタースピードを速く設定すると、解像感の高い鋭い画像が得られ、逆にシャッタースピードを遅く設定すると、画像間の繋がりがある滑らかな画像を得ることが可能となる。
【００５６】
視聴者によってシャッタースピードを設定することができれば、その個人に適した再生画像を提供することが可能となる。実際のシャッタースピード設定処理は、視聴者が図１の操作手段１０７によってシャッタースピードを設定し、図２のインタフェース部２０２でその設定情報を受信する処理となる。
【００５７】
ステップＳ３０３において、設定されたシャッタースピードにより再生に使用する表示フレームの作成方法が決定される。ステップＳ３０３は、図２のシャッタースピード決定部２０１及び表示フレーム作成制御部２０３で行われる処理である。このステップＳ３０３の処理の例を、図５、図６及び図７を用いて詳細に説明する。
【００５８】
図５は、視聴者が記録時のシャッタースピード値より速いシャッタースピードを設定した場合を示す図である。
【００５９】
図５において、記録時のシャッタースピードは１／１００ｓｅｃであるが、視聴者が１／２００ｓｅｃのシャッタースピードを設定した場合、合成に使用する撮影フレーム数を変更することでシャッタースピードの変更を実現する。
【００６０】
具体的には、記録時のシャッタースピード１／１００ｓｅｃの画像を作成する場合、撮影フレームを１２枚使用することで実施されるが、１／２００ｓｅｃのシャッタースピードで再生する場合、使用する撮影フレームを６枚とする。この処理により、シャッタースピードを、視聴者が指定した値に変更して再生することが可能となる。
【００６１】
図６は、視聴者が記録時のシャッタースピード値より遅いシャッタースピードを設定した場合を示す図である。
【００６２】
図６に示される通り、シャッタースピード値を視聴者が１／４０ｓｅｃと設定した場合、撮影フレームを３０枚使用して合成処理を行うことで、設定されたシャッタースピードを実現する。
【００６３】
図７は、上記と同様、記録時のシャッタースピード値より遅いシャッタースピード値１／４０ｓｅｃを設定した場合を示している。図６と異なる点は、表示されるフレームレートを６０ｆｐｓとしているためで、再生側でシャッタースピードの下限を１／６０ｓｅｃとし、２０枚のフレームを使用して表示フレームを作成している点である。
【００６４】
この操作により、表示フレームに時間的な重複がなくなり、図６の例と比較して自然な画像を再生することが可能となる。
【００６５】
図５、図６、図７の説明では、視聴者が指定したシャッタースピード値と同一のシャッタースピードとなるようにフレーム数を選択していたが、実際に指定した値と同じ値にできない場合も考えられる。このような場合は、指定したシャッタースピード値に近くなるようにフレームを選択して合成処理を行う。
【００６６】
ステップＳ３０４において、ステップＳ３０３で決定された表示フレーム作成方法に基づき、フレーム作成部１０８において表示するフレームが作成される。その後、ステップＳ３０５で、表示装置１０９に表示フレームが送信され、視聴者に提示される。
【００６７】
ステップＳ３０６で、表示する画像が終了したかどうかの判定を行い、終了していなければステップＳ３０４に戻り、表示フレームを作成する処理が続けられることになる。表示する画像が終了していれば、本フローを終了する。
【００６８】
尚、図３のフローチャートで示した、視聴者がシャッタースピードを変更する実施の形態において、視聴者がシャッタースピードを指定するタイミングは再生の開始前に限らない。再生中に視聴者が、任意のタイミングで操作手段１０７を用いてシャッタースピードを指定する際でも同様にシャッタースピードを変更し、再生することが可能である。
【００６９】
以上説明した通り、本実施の形態によれば、視聴者が任意のシャッタースピードを指定し、指定された値に従った再生画像を視聴することが可能となる。よって、視聴者の意図に従った再生画像を提供することが可能となる。
【００７０】
（第２の実施の形態）
次に、本発明の第２の実施の形態について説明する。尚、第２の実施の形態を実現するための基本構成は、第１の実施の形態と同様であるため、説明は省略する。
【００７１】
第２の実施の形態は、図１の表示装置１０９の表示性能に従い、画像再生装置がシャッタースピードを撮影時のシャッタースピードとは異なる値に設定して再生する実施の形態である。これにより、視聴者は、図１の表示装置１０９に適切な再生画像を視聴することが可能となる。
【００７２】
図８は、図１の画像再生装置によって実行される画像再生処理の手順を示すフローチャートである（２）。
【００７３】
本処理は、図１におけるシステム制御部１０１の制御の下で実行される。
【００７４】
まず、ステップＳ８０１において、再生する画像の情報をデコーダ１０６から取得する。ステップＳ８０１の処理は、図３のステップＳ３０１の処理と同様である。
【００７５】
次に、ステップＳ８０２において、表示装置１０９より、表示装置１０９の情報を取得する。ここで取得する表示装置１０９の情報とは、表示可能なフレームレートである。また、実際に表示装置１０９から情報を取得する制御は、図２の表示装置情報取得部２０４で実施される。
【００７６】
ステップＳ８０３において、表示装置１０９が表示可能なフレームレート及び再生する画像情報の２種の情報より、再生に使用する表示フレームの作成方法が決定される。ステップＳ８０３は、図２のシャッタースピード決定部２０１及び表示フレーム作成制御部２０３で実施される処理である。ステップＳ８０３で実施される処理の例を、図９を用いて説明する。
【００７７】
図９は、記録されている画像のシャッタースピード値が１／１００ｓｅｃ、記録時に想定されている表示フレームレートが１／６０ｓｅｃである画像を、１２０ｆｐｓで表示可能な表示装置１０９で表示する例を示す図である。
【００７８】
この場合、シャッタースピード値より表示可能なフレームレート間隔が短いため、記録されている通りのシャッタースピードを使用すると、フレーム間で時間的な重なりができ、ぼけた画像となる可能性がある。
【００７９】
そこで、シャッタースピード値を１／１００ｓｅｃではなく、表示装置１０９の表示フレームレート間隔と同じ値に設定し、表示フレームレート１２０ｆｐｓで表示する制御を行う。この処理により、表示装置１０９に適した再生を実施することが可能となる。
【００８０】
図９の例では、画像再生装置が設定したシャッタースピード値と同一のシャッタースピードとなるようにフレーム数を選択していたが、実際に指定した値と同じ値にできない場合も考えられる。このような場合は、指定したシャッタースピード値に近くなるようにフレームを選択して合成処理を行う。
【００８１】
ステップＳ８０４において、ステップＳ８０３で決定された表示フレーム作成方法に基づき、フレーム作成部１０８で表示するフレームが作成される。
【００８２】
その後、ステップＳ８０５で表示装置１０９に表示フレームが送信され、視聴者に提示される。
【００８３】
ステップＳ８０６で、表示する画像が終了したかどうかの判定を行い、終了していなければステップＳ８０４に戻り、表示フレームを作成する処理が続けられることになる。表示する画像が終了した場合は、本フローを終了する。
【００８４】
以上説明した通り、第２の実施の形態によれば、画像再生装置が表示装置１０９に適したシャッタースピードを設定し、そのシャッタースピードに従った画像を視聴することが可能となる。
【００８５】
（第３の実施の形態）
次に、本発明の第３の実施の形態について説明する。尚、第３の実施の形態を実現するための基本構成は、第１及び第２の実施の形態と同様であるため、説明は省略する。
【００８６】
第３の実施の形態は、再生画像の情報を元に、画像再生装置が、シャッタースピードを撮影時のシャッタースピードとは異なる値に設定して再生する実施の形態である。これにより、視聴者は、再生する画像に適した再生環境で画像を視聴することが可能となる。
【００８７】
図１０は、図１の画像再生装置によって実行される画像再生処理の手順を示すフローチャートである（３）。
【００８８】
本処理は、図１におけるシステム制御部１０１の制御の下で実行される。
【００８９】
まず、ステップＳ１００１において、再生する画像の情報をデコーダ１０６から取得する。ここで取得する情報は、撮影時のシャッタースピード、撮影フレームレート、撮影時において想定された表示フレームレート及び撮影時の記録モードである。
【００９０】
撮影時の記録モードとは、例えば、スポーツモード、ナイトモード等、シャッタースピード等のパラメータを撮影時に対応付けるものである。スポーツモードで記録した場合は被写体の動きが速いものであると予想され、ナイトモードではシャッタースピードを遅くして撮影していると予想される。
【００９１】
次に、ステップＳ１００２において、再生に使用する表示フレームの作成方法が決定される。ステップＳ１００２は、図２のシャッタースピード決定部２０１及び表示フレーム作成制御部２０３で実施される処理である。
【００９２】
ここで、再生時のシャッタースピードを決定するパラメータとして、ステップＳ１００１で取得した記録モードを使用する。記録モードとして、スポーツモードのような、動きが速い被写体を対象としている記録モードであった場合、よりシャッタースピード値を速いものとして再生する。この処理により、再生画像に適したシャッタースピードを設定して再生することが可能となる。
【００９３】
上記例では、画像再生装置が設定したシャッタースピード値と同一のシャッタースピードとなるようにフレーム数を選択していたが、実際に指定した値と同じ値にできない場合も考えられる。このような場合は、指定したシャッタースピード値に近くなるようにフレームを選択して合成処理を行う。
【００９４】
ステップＳ１００３において、ステップＳ１００２で決定された表示フレーム作成方法に基づき、フレーム作成部１０８で表示するフレームが作成される。その後、ステップＳ１００４で、表示装置１０９に表示フレームが送信され、視聴者に提示される。
【００９５】
ステップＳ１００５で、表示する画像が終了したかどうかの判定を行い、終了していなければステップＳ１００３に戻り、表示フレームを作成する処理が続けられることになる。表示する画像が終了していれば、本フローを終了する。
【００９６】
以上説明した通り、第３の実施の形態によれば、画像再生装置が再生する画像により適したシャッタースピードを設定し、そのシャッタースピードに従った再生画像を提供することが可能となる。
【図面の簡単な説明】
【００９７】
【図１】本発明の実施の形態に係る画像再生装置のブロック図である。
【図２】図１におけるシステム制御部を中心としたブロック図である。
【図３】図１の画像再生装置によって実行される画像再生処理の手順を示すフローチャートである（１）。
【図４】図１の画像再生装置において再生する画像情報の、シャッタースピード、想定されたフレームレート、撮影フレームレートとの関係を説明する図である。
【図５】第１の実施の形態において、図２のシャッタースピード決定部によりシャッタースピードを変更する際のフレームの使用方法を説明する図である（１）。
【図６】第１の実施の形態において、図２のシャッタースピード決定部によりシャッタースピードを変更する際のフレームの使用方法を説明する図である（２）。
【図７】第１の実施の形態において、図２のシャッタースピード決定部によりシャッタースピードを変更する際のフレームの使用方法を説明する図である（３）。
【図８】図１の画像再生装置によって実行される画像再生処理の手順を示すフローチャートである（２）。
【図９】第２の実施の形態において、図２のシャッタースピード決定部によりシャッタースピードを変更する際のフレームの使用方法を説明する図である。
【図１０】図１の画像再生装置によって実行される画像再生処理の手順を示すフローチャートである（３）。
【符号の説明】
【００９８】
１００  再生装置本体
１０１  システム制御部
１０２  アドレス制御部
１０３  記録媒体
１０４  データ読み出し部
１０５  データ分離部
１０６  デコーダ
１０７  操作手段
１０８  フレーム作成部
１０９  表示装置
２０１  シャッタースピード決定部
２０２  インタフェース部
２０３  表示フレーム作成制御部
２０４  表示装置情報取得部
【図１】
2009246775.tif 000003
【図２】
2009246775.tif 000004
【図３】
2009246775.tif 000005
【図４】
2009246775.tif 000006
【図５】
2009246775.tif 000007
【図６】
2009246775.tif 000008
【図７】
2009246775.tif 000009
【図８】
2009246775.tif 000010
【図９】
2009246775.tif 000011
【図１０】
2009246775.tif 000012